(57)【要約】【課題】各種電子機器の入力操作部に用いられ、配線基板に平行な方向に押圧操作されるプッシュオンスイッチに関し、静電気対策が施され、低背状態に実装できる構成のプッシュオンスイッチを提供する。【解決手段】ケース２１の凹部２１Ａ内に、可動接点６および中央固定接点２２、外側固定接点２３からなるスイッチ接点部が構成され、ケース２１に対して前後方向に移動可能に組み込まれた操作体８への操作で上記スイッチ接点部が作動されるプッシュオンスイッチであって、中央固定接点２２、外側固定接点２３からの端子２２Ａ，２２Ｂ，２３Ａを上記ケース２１の左右側面の中間高さ位置から各々導出させると共に、ケース２１に固定された金属カバー２９から上面視で端子２２Ｂの導出方向と同じ方向に延出され先端が下方に折り曲げられたアース端子２９Ｃを備えた構成のものとした。【選択図】図１
2013168220.tif 000002
【特許請求の範囲】
【請求項１】
配線基板の切り欠き部内にケースの下方部を位置させて実装され、上記配線基板の上面と平行な方向で押圧操作してスイッチ接点部が作動されるプッシュオンスイッチであって、当該プッシュオンスイッチに設けたアース端子が、上記切り欠き部の両側方向の少なくともどちらかの側方に向けて導出して形成されていることを特徴とするプッシュオンスイッチ。
【請求項２】
ケースを上方より覆っている金属カバーをさらに有し、アース端子は、その金属カバーから延設形成されていることを特徴とする請求項１記載のプッシュオンスイッチ。
【発明の詳細な説明】
【技術分野】
【０００１】
本発明は、各種電子機器の入力操作部に用いられるプッシュオンスイッチに関するものである。
【背景技術】
【０００２】
近年、各種電子機器は、電子機器の小型軽量化並びに薄型化とあわせて、多機能化が留まることなく進んでおり、その入力操作部には、装着された電子機器の配線基板に平行な方向から操作される小型薄型のプッシュオンスイッチが用いられることも増えている。
【０００３】
このような従来のプッシュオンスイッチについて、図８〜図１２を用いて説明する。
【０００４】
図８は従来のプッシュオンスイッチの外観図、図９は同断面図、図１０は同分解斜視図、図１１は同実装する形態を説明する外観図、図１２は同実装状態を示す外観図である。
【０００５】
同図において、１は上方開口の凹部１Ａを有した絶縁樹脂製のケースであり、凹部１Ａ底面の中央には中央固定接点２が配され、また凹部１Ａ底面の外周側の位置には上面視略矩形で僅かに上方に突出形成された一対の外側固定接点３が配されている。中央固定接点２に接続されている端子２Ａおよび、外側固定接点３に接続されている端子３Ａは、ケース１の左右の側面の中間高さ位置よりそれぞれ外方に導出されている。つまり、それらの導出位置は、ケース１の底面位置よりも高い位置に設定されている。
【０００６】
ケース１の端子２Ａ，３Ａが導出されている左右の側部においては、端子２Ａ，３Ａの下面位置よりも上方に位置するケース１側面が、下方に位置する側面よりも外方に突出した形状になっている。つまり、ケース１の左右の側部は、下方を各々内側に切り欠いた水平な段差形状に形成されており、その段差部の下面と端子２Ａ，３Ａの下面は、同一高さ位置になっている。そして、上記段差部の下面と端子２Ａ，３Ａの下面によって、受け部１Ｂが形成されている。
【０００７】
ケース１上面の四方の角部には、上面視Ｌ字形状のコーナー突部１Ｃが上方に向けて突出形成されている。
【０００８】
６は上方凸形の円形ドーム状をした弾性金属薄板製の可動接点で、その外周下端が外側固定接点３上に載置されて、ケース１の凹部１Ａ内に収容されている。可動接点６の中央部下面は中央固定接点２の上面と間隔を有して対向している。
【０００９】
上述した可動接点６を収容した状態で、ケース１の凹部１Ａを覆うように、下面に粘着剤（図示せず）が設けられた絶縁性フィルムからなる保護シート７が下面の粘着剤でケース１の上面に貼着されている。
【００１０】
８は、ケース１に対して前後方向に移動可能に組み込まれている樹脂製の操作体で、前方に突出形成された操作部８Ａと、操作部８Ａの中央後部から後方に突出形成された円柱状の駆動部８Ｂと、駆動部８Ｂをコの字状に囲む枠部８Ｄとを有している。駆動部８Ｂの先端は略球形状に形成された押圧部８Ｃとなっている。
【００１１】
操作体８は、ケース１のコーナー突部１Ｃで囲まれた領域内に枠部８Ｄが位置するようにしてケース１上に配され、コーナー突部１Ｃの内壁で、上記枠部８Ｄの左右方向の側面がガイドされつつ、前後方向に移動可能になっている。その配置状態で、操作部８Ａはケース１の外周位置より前方に突出している。
【００１２】
そして、操作体８を上方より覆うように、金属板製の金属カバー９がケース１に固定されている。金属カバー９は、ケース１の上方に位置する平板状の平板部９Ａの中央位置に、後方にかけて先端側が斜め下方に下がっていくように曲げ形成された傾斜部９Ｂを備えている。その傾斜部９Ｂの下面は、上記操作体８の駆動部８Ｂ先端の押圧部８Ｃと当接状態になっている。
【００１３】
以上のように従来のプッシュオンスイッチは構成されており、次にその動作について説明する。
【００１４】
操作部８Ａを前方より後方に向かって押し込むと、押圧部８Ｃが金属カバー９の傾斜部９Ｂ下面に沿って移動する。つまり、駆動部８Ｂを斜め下方に撓めながら押圧部８Ｃが斜め下方に移動していき、保護シート７を介して押圧部８Ｃで可動接点６の中央部を押圧していく。この押圧力が一定の値を超えると、可動接点６の中央部はクリック感触を伴って弾性反転して、可動接点６の中央部下面と中央固定接点２が接触する。これにより、対応する端子２Ａと端子３Ａとの間が導通してスイッチオン状態となる。
【００１５】
操作体８を押し込んでいた力を解除すると、可動接点６が元の形状に弾性的に復元して押圧部８Ｃを上方に押し上げ、押圧部８Ｃが傾斜部９Ｂ下面で案内されつつ駆動部８Ｂも元の形状に戻って、操作体８が元の前方位置に押し戻されたスイッチオフ状態に戻るものであった。
【００１６】
上述したプッシュオンスイッチは、携帯端末を代表とする電子機器の配線基板に実装されて使用される。次に、その実装状態などについて図１１、図１２を用いて説明する。
【００１７】
同図に示すように、配線基板１１の端部位置には、上面視で内側にコの字状に窪んだ形状の切り欠き部１１Ａが設けられている。そして、切り欠き部１１Ａの左右両側の側方位置には、当該プッシュオンスイッチの端子２Ａ，３Ａに対応する端子用ランド１２，１３がそれぞれ配設されている。なお、ランド１２，１３は配線基板１１の図示しない電子回路に繋がっている。
【００１８】
当該プッシュオンスイッチは、切り欠き部１１Ａの開口側となる前方方向に操作部８Ａが位置する向きで、後部を、切り欠き部１１Ａの奥行き側の端面に当接させるようにして、ケース１の受け部１Ｂが切り欠き部１１Ａ近傍の配線基板１１上面位置に載せられ、端子２Ａ，３Ａが対応するランド１２，１３にそれぞれ半田付け固定されて実装される。
【００１９】
このように、当該プッシュオンスイッチは、受け部１Ｂよりも下方となるケース１の下方部を切り欠き部１１Ａ内に位置させて実装され、配線基板１１への実装状態で高さ方向の低背化が図れるものであった。また、当該プッシュオンスイッチの後部を、切り欠き部１１Ａの奥行き側の端面に当接させた実装状態とするもののため、当該プッシュオンスイッチに予期しない後方側などへの過度の力が加わっても、配線基板１１からの剥がれ防止も図られる実装状態にできるものであった。
【００２０】
なお、この出願の発明に関連する先行技術文献情報としては、例えば、特許文献１が知られている。
【先行技術文献】
【特許文献】
【００２１】
【特許文献１】特開２０１０−１１８３３６号公報
【発明の概要】
【発明が解決しようとする課題】
【００２２】
近年の電子機器においては、静電気放電、所謂ＥＳＤによる電子機器の誤動作や故障などを防止するために、静電気対策が講じられた電子部品を求められることも多く、従来のプッシュオンスイッチにおいてもその要望が高まっていた。
【００２３】
しかしながら、電子機器の小型化などが進展する中で、機器メーカからは各種電子部品として搭載面積の小さいものが好まれ、特に従来のプッシュオンスイッチのような配線基板１１の端部位置に実装されるものにおいては、他の電子部品の実装面積を確保するために、その端部位置で奥行き寸法を大きくすることなく静電気対策が講じられた構成のものを要望されることが多くなってきた。
【００２４】
本発明は、このような従来の課題を解決するものであり、プッシュオンスイッチの前後方向、つまり奥行き方向の寸法を大きくすることなく、電子機器のアース（ＧＮＤ）に接続させつつ低背状態で実装できる構成のプッシュオンスイッチを提供することを目的とする。
【課題を解決するための手段】
【００２５】
上記目的を達成するために本発明は、配線基板の切り欠き部内にケースの下方部を位置させて実装され、上記配線基板の上面と平行な方向で押圧操作してスイッチ接点部が作動されるプッシュオンスイッチであって、当該プッシュオンスイッチに設けたアース端子が、上記切り欠き部の両側方向の少なくともどちらかの側方に向けて導出して形成されていることを特徴とするプッシュオンスイッチとしたものである。
【００２６】
これであれば、奥行き方向の寸法を大きくすることなく、電子機器のアース（ＧＮＤ）にアース端子を接続させつつ低背状態で実装できる構成のプッシュオンスイッチを提供することができるという作用を有する。
【発明の効果】
【００２７】
本発明によれば、奥行き方向への寸法を大きくすることなく、低背状態に実装できるアース端子付きで小型構成のプッシュオンスイッチを提供できるという有利な効果が得られる。
【図面の簡単な説明】
【００２８】
【図１】本発明の実施の形態によるプッシュオンスイッチの外観図
【図２】同断面図
【図３】同正面図
【図４】同下面図
【図５】同分解斜視図
【図６】同実装する形態を説明する外観図
【図７】同実装状態を示す外観図
【図８】従来のプッシュオンスイッチの外観図
【図９】同断面図
【図１０】同分解斜視図
【図１１】同実装する形態を説明する外観図
【図１２】同実装状態を示す外観図
【発明を実施するための形態】
【００２９】
以下、本発明の実施の形態について、図１〜図７を用いて説明する。なお、従来の技術の項で説明した構成と同一構成の部分には同一符号を付して、詳細な説明を簡略化する。
【００３０】
（実施の形態）
図１は本発明の実施の形態によるプッシュオンスイッチの外観図、図２は同断面図、図３は同正面図、図４は同下面図、図５は同分解斜視図、図６は同実装する形態を説明する外観図、図７は同実装状態を示す外観図である。
【００３１】
同図に示すように、絶縁樹脂製のケース２１は、上面視略矩形状に形成されると共に、上方開口の凹部２１Ａが設けられている。凹部２１Ａ底面の中央には中央固定接点２２が配されると共に、その中央固定接点２２を中心として凹部２１Ａ底面の外周側の位置には、上面視略矩形で僅かに上方に突出形成された一対の外側固定接点２３が形成されている。
【００３２】
そして、ケース２１の右側面には、中央固定接点２２に接続されている端子２２Ａと、外側固定接点２３に接続されている端子２３Ａとが側方に向けて導出されている。端子２２Ａと端子２３Ａとは、同じ長さに設定されている。
【００３３】
一方、ケース２１の左側面には、中央固定接点２２に接続されている端子２２Ｂと、外側固定接点２３に接続されている端子２３Ａとが側方に向けて導出されている。ここに、外側固定接点２３から導出されている二つの端子２３Ａは、共に同一長さに設定されており、この端子２３Ａに対して、中央固定接点２２に接続されている端子２２Ｂは、ケース２１から僅かな寸法で導出された短い寸法のものになっている。言い換えると、中央固定接点２２に接続されている端子２２Ａと２２Ｂとは、左右で導出長さ寸法が異なっている。
【００３４】
なお、上述した合計で四つの端子２２Ａ，２２Ｂ，２３Ａのケース２１からの導出高さ位置は同一で、ケース２１の底面位置よりも高い中間高さの側面位置から水平に導出されている。
【００３５】
ここに、ケース２１は、従来同様に、合計で四つの端子２２Ａ，２２Ｂ，２３Ａが導出されている左右の側部については、端子２２Ａ，２２Ｂ，２３Ａの下面位置よりも上方に位置する側面が、下方に位置する側面よりも外方に突出した水平な段差形状になっており、その段差部の下面と各端子２２Ａ，２２Ｂ，２３Ａの下面とで受け部２１Ｂが形成されている。また、ケース２１上面の四方の角部には、上面視Ｌ字形状のコーナー突部２１Ｃが上方に向けて突出形成されている。
【００３６】
なお、上述した各２２Ａ，２２Ｂ，２３Ａを有するケース２１を得るには、従来のケース１の加工形成と同じ加工工程で、例えばケース１の左右に導出されている端子２Ａの片方を、ケース１から僅かに突出した位置で切断することによって作製することができる。つまり、薄板金属からなるフープ材をプレス加工などして、中央固定接点２および端子２Ａともなる繋ぎ桟、外側固定接点３および端子３Ａともなる繋ぎ桟が、所定ピッチ毎に設けられたフープ状の仕掛品に加工形成し、それを絶縁樹脂でインサート成形して個々にケース１を有する形態に構成し、その後、ケース１から外方に突出している中央固定接点２からの繋ぎ桟と外側固定接点３からの繋ぎ桟を切断して端子２Ａ，３Ａにそれぞれ形成する加工工程で、繋ぎ桟の切断位置を上述した端子２２Ａ，２２Ｂ，２３Ａの長さ寸法に応じた位置で切断すればよい。これであれば、部材としては従来品のものを流用できる上、設備面としても大きな変更を加えることなく当該実施の形態のものを得ることができる。
【００３７】
そして、ケース２１の凹部２１Ａ内には、円形ドーム状の弾性金属薄板からなる可動接点６が収容されており、凹部２１Ａの上方は、下面に粘着剤（図示せず）が設けられた保護シート７がケース２１上面に貼り合わされることによって覆われている。なお、当該構成では、可動接点６と中央固定接点２２、外側固定接点２３とによってスイッチ接点部が構成されている。
【００３８】
操作体８は、操作部８Ａがケース２１の前方に突出し、上記ケース２１のコーナー突部２１Ｃで囲まれた領域内に枠部８Ｄが位置するようにして配されている。なお、この操作体８は、従来と同じもので、操作部８Ａの後方に延設された駆動部８Ｂが枠部８Ｄ内に設けられ、その駆動部８Ｂの先端が略球形状の押圧部８Ｃに形成されており、上記枠部８Ｄの左右方向の側面がコーナー突部２１Ｃの内壁でガイドされつつ、ケース２１に対して前後方向に移動可能に組み込まれている。
【００３９】
さらに、操作体８を上方より覆うように、金属板製の金属カバー２９がケース２１に固定されている。金属カバー２９は、ケース２１の上方に位置する平板状の平板部２９Ａと、平板部２９Ａの中央位置に、後方にかけて先端側が斜め下方に下がっていくように曲げ形成された傾斜部２９Ｂを備えており、傾斜部２９Ｂの下面が上記操作体８の駆動部８Ｂ先端の押圧部８Ｃと当接状態になっている。
【００４０】
ここで、当該実施の形態によるものでは、金属カバー２９において、平板部２９Ａから上面視で端子２２Ｂの導出位置と略同一の側方位置から所定幅のアース端子２９Ｃが側方に向けて水平に延出されて、その先端が下方に直角に折り曲げられたものとなっている。そのアース端子２９Ｃの側方への延出寸法は、上面視で前方側に隣接する端子２３Ａと同じ寸法かやや短めの寸法に設定されていると共に、曲げ下ろされた先端下面の高さ位置は、端子２２Ｂ，２３Ａの下面と同一高さもしくはやや高めの位置になるように構成されている。なお、アース端子２９Ｃの曲げ下ろされた先端と短寸法で導出された端子２２Ｂとの間は、０．３ｍｍ以上離されていることが望ましい。
【００４１】
以上のように、本実施の形態によるプッシュオンスイッチは構成されている。
【００４２】
なお、その動作は、従来同様であり、簡単に説明すると、操作体８の操作部８Ａを後方に押し込むと、操作体８が後方に移動していくと共に、金属カバー２９の傾斜部２９Ｂで斜め下方に案内されていく押圧部８Ｃで可動接点６の中央部が押圧される。この押圧力が一定の値を超えると、可動接点６がクリック感触を伴って弾性反転し、可動接点６の中央部下面と中央固定接点２２が接触して、対応する端子２２Ａ，２３Ａ間が導通したスイッチオン状態となる。そして、操作体８を後方に向かって押し込んでいた力を解除すると、可動接点６が元の上方凸形に弾性的に復元して押圧部８Ｃを上方に押し上げ、押圧部８Ｃが金属カバー２９の傾斜部２９Ｂ下面に沿って斜め上方に移動しつつ駆動部８Ｂが元の形状に戻りながら、操作体８が元の位置に押し戻され、図１に示したスイッチオフ状態に戻る。
【００４３】
次に、上述したプッシュオンスイッチの実装状態について図６と図７を用いて説明する。
【００４４】
同図において、３１は端部位置に上面視で内側にコの字状に窪んだ形状の切り欠き部３１Ａが設けられている配線基板である。切り欠き部３１Ａの両側左右の側方位置には、当該プッシュオンスイッチの端子２２Ａ，２３Ａに対応する端子用ランド３２，３３とアース端子２９Ｃに対応するアース端子用ランド３９がそれぞれ配設されており、端子２２Ｂに対応するランドは設けられていない構成になっている。なお、端子用ランド３２，３３は配線基板３１の図示しない電子回路に繋がっている。一方、アース端子用ランド３９は配線基板３１のアースまたはＧＮＤに繋がっている。
【００４５】
ここに、アース端子用ランド３９は、従来の配線基板１１の片方のランド１２位置に応じた位置に配設されており、曲げ下ろされたアース端子２９Ｃの先端下面に対応した細幅なランド形状のものとなっている。
【００４６】
そして、当該プッシュオンスイッチは、従来の場合と同様に、ケース２１の下方部を切り欠き部３１Ａ内に収容するようにして、ケース２１の受け部２１Ｂが切り欠き部３１Ａ近傍の配線基板３１上面位置に載せられて、端子２２Ａが対応する端子用ランド３２に、二つの端子２３Ａが対応する端子用ランド３３に、アース端子２９Ｃの先端がアース端子用ランド３９にそれぞれ半田付け固定されて実装されている。端子２２Ｂについては、対応するランドもなく半田付けはされていない状態になっている。なお、端子２２Ｂは、実装状態においてもアース端子２９Ｃとアース端子用ランド３９、及びそれらの半田付け固定箇所と電気的に接触しない状態になっていて、端子２２Ｂの先端とアース端子用ランド３９の端部の間は、その実装状態で０．２ｍｍ以上離れていることが望ましい。
【００４７】
このように、当該実施の形態によるプッシュオンスイッチは、アース端子２９Ｃを、配線基板３１のアースと接続されているアース端子用ランド３９に接続させた実装状態にできる。このために、電子機器の使用時などにおいて、使用者の指先などから、電子機器の操作ボタンなどを介して当該プッシュオンスイッチに静電気が流入しても、その静電気を、金属カバー２９に設けたアース端子２９Ｃを通じて配線基板３１のアースにおとすことができ、静電気による電子回路の誤動作や破損などの発生を防ぐことができる。
【００４８】
そして、アース端子２９Ｃとしては、上面視で切り欠き部３１Ａの両側方向となる側方側に延出させたものとし、しかもその延出長さを隣接する端子２３Ａ内に収まる長さにして曲げ下ろした形状のものにしているために、従来のプッシュオンスイッチの端子２Ａの接続位置とほぼ同じ位置に配されているアース端子用ランド３９に半田付け接続させるようにできる。これであれば、アース端子２９Ｃの半田付け固定箇所を含めても、従来品と同じ占有面積内で実装することができるものに実現できる。
【００４９】
以上のように、当該構成のプッシュオンスイッチは、奥行き方向の寸法を大きくすることなく、アース端子付きで小型構成のプッシュオンスイッチを提供することができる。
【００５０】
さらに、当該実施の形態のプッシュオンスイッチは、ケース２１の下方部を切り欠き部３１Ａ内に位置させて配線基板３１へ実装できる。つまり、配線基板３１上面からの高さ寸法としても低背な実装状態にでき、金属カバー２９の高さ位置も低い位置となり、そこから側方に向けて延設されたアース端子２９Ｃの曲げ下ろし寸法も短いもので済むため、曲げ下ろされた先端位置の振れなども少なく、対応するアース端子用ランド３９もそれを見越した大きさのもので済むという利点も得られる。
【００５１】
そして、上記実装状態では、当該プッシュオンスイッチの後部が、切り欠き部３１Ａの奥行き側の端面に当接もしくは近接した状態になるように実装されることにより、予期しない後方側などへの過度の力が加わっても、当該プッシュオンスイッチの後部が、切り欠き部３１Ａの奥行き側の端面で支えられて配線基板３１からの剥がれなどの不具合も発生しにくく構成できる。
【００５２】
また、後方斜め上方に向けて過度の力が加わると、上記の剥がれ現象としては、前方位置の半田付け箇所に負荷がかかり易い。ここに、アース端子２９Ｃとアース端子用ランド３９との間の半田付け強度は、塗布するクリーム半田の量などにもよるが、ランド面積からしても他の端子２２Ａ，２３Ａの端子用ランド３２，３３への半田付け強度よりも弱くなりやすいので、アース端子２９Ｃはスイッチの後方側位置に設定しておくと好ましい。なお、上記には説明を省略したが、前方側の端子２３Ａが後方側の端子２２Ａよりも幅広になっているのは、そのためであり、さらに端子２３Ａの先端を下方に折り曲げ、その曲げ部を、端子用ランド３３内に設けられたスルーホール内に挿入して半田付けする構成であれば、さらに好ましい。
【００５３】
なお、以上には、金属カバー２９のアース端子２９Ｃを、後方の一箇所のみに設けたもので説明したが、複数のアース端子が設けられていてもよい。また、その導出位置としても、配線基板３１の切り欠き部３１Ａの両側で側方に向けて導出されているものであればよい。
【００５４】
さらに、アース端子２９Ｃの曲げ下ろした先端位置には、破断面の箇所が少なくなるように、たたき加工や面押し加工などが施されていると好ましい。
【００５５】
なお、アース端子２９Ｃの先端位置を配線基板３１面よりも下方に位置するものに構成し、アース端子用ランドに設けたスルーホールに挿入させて半田付け固定するようにしてもよい。または、アース端子の先端が他の端子２２Ａ，２３Ａの高さ位置に合わせて配線基板３１面に平行関係に曲げ形成されたものとして、そこが半田付け箇所となる構成であってもよい。
【００５６】
そして、上記では、従来のものの製造工程において、従来の端子２Ａの片方の切断位置を変えて、導出寸法が短い端子２２Ｂを有するケース２１を備えた形態のものについて説明したが、それに限定されることはない。例えば、導出寸法が短い端子２２Ｂが中央固定接点２２と電気的独立状態になるように加工されていてもよく、さらには、ケース２１に端子２２Ｂが設けられていない構成のものなどであってもよい。
【００５７】
または、端子２２Ｂが端子２３Ａと同等の導出寸法であってもよい。この場合には、その端子２３Ｂを、配線基板上に配設された対応するランドに半田付け固定するようにして、アース端子としては、上面視の延出寸法をその半田付け固定位置よりも大きい寸法のものとして、当該アース端子に応じた位置にアース端子用ランドを有する配線基板を用いて構成すればよい。
【００５８】
なお、以上には、可動接点６が１つのみで１段階のスイッチ動作をするものについて説明したが、スイッチ接点部は上述した構成のもののみに限定されることはない。例えば複数の可動接点が組み合わせられるなどして複数段のスイッチ動作が可能なプッシュオンスイッチに当該発明の思想を適用することも可能である。つまり、それらのものの金属カバー等に側方側に延出するアース端子を設けた構成としても本発明は実施可能である。そして、それらに用いる可動接点の形状についても上面視円形のもの以外であってもよく、例えば多角形形状や小判形状、さらにはそれらのドーム部分に中央孔が設けられたものであったり、上面視外周端部から放射状に延出した複数の脚部が設けられた形状のものなどが用いられ、固定接点としても使用する可動接点に応じてスイッチング可能な構成となるものであればよい。
【００５９】
なお、実装状態で、アース端子２９Ｃとアース端子用ランド３９とは半田付け固定されていると好ましいが、半田付けされずに近接状態で維持された形態の実装状態であってもよい。
【００６０】
なお、アース端子２９Ｃは金属カバー２９から一体で導出されたものにすれば、静電気を金属カバー２９から侵入させて電子機器のアースに逃がせるため、プッシュオンスイッチの内部に静電気が侵入しづらく、より安全なＥＳＤ対策のものとなり望ましいが、それに限定されることは無く、独立して設けたものとしてもよい。
【産業上の利用可能性】
【００６１】
本発明によるプッシュオンスイッチは、奥行き方向への寸法を大きくすることなく、電子機器のアース（ＧＮＤ）にアース端子を接続させつつ低背状態に実装できるものを提供することができ、主に電子機器の入力操作部用等に有用である。
【符号の説明】
【００６２】
６  可動接点
７  保護シート
８  操作体
８Ａ  操作部
８Ｂ  駆動部
８Ｃ  押圧部
８Ｄ  枠部
２１  ケース
２１Ａ  凹部
２１Ｂ  受け部
２２  中央固定接点
２２Ａ，２２Ｂ，２３Ａ  端子
２３  外側固定接点
２９  金属カバー
２９Ａ  平板部
２９Ｂ  傾斜部
２９Ｃ  アース端子
３１  配線基板
３１Ａ  切り欠き部
３２，３３  端子用ランド
３９  アース端子用ランド
【図１】
2013168220.tif 000003
【図２】
2013168220.tif 000004
【図３】
2013168220.tif 000005
【図４】
2013168220.tif 000006
【図５】
2013168220.tif 000007
【図６】
2013168220.tif 000008
【図７】
2013168220.tif 000009
【図８】
2013168220.tif 000010
【図９】
2013168220.tif 000011
【図１０】
2013168220.tif 000012
【図１１】
2013168220.tif 000013
【図１２】
2013168220.tif 000014